(57)【要約】【課題】メニューシートにドットコードを重ねて印刷する工程を省くことができメニューの更新や変更などを容易にするとともに、ドットコードの印刷にかかるコストの低減化を図ることができるオーダーシステム用メニューの作成方法を提供すること。【解決手段】コード情報ｂを有するメニュー２と該コード情報ｂを読み取る読取装置１、及び読取装置１が読み取ったコード情報ｂから対応するオーダーを呼び出すデータベースから構成されるオーダーシステムにおいて使用されるメニュー２の作成方法であって、上記メニュー２はコード情報ｂを印刷した透明シート１１と、該コード情報ｂに対応した可視情報ａを印刷した可視情報シート１０とを重ね合わせて構成すること【選択図】図２
2008279649.tif 000002
【特許請求の範囲】
【請求項１】
コード情報を有するメニューと該コード情報を読み取る読取装置、及び読取装置が読み取ったコード情報から対応するオーダーを呼び出すデータベースから構成されるオーダーシステムにおいて使用されるメニューの作成方法であって、上記メニューはコード情報を印刷した透明シートと、該コード情報に対応した可視情報を印刷した可視情報シートとを重ね合わせて構成することを特徴とするオーダーシステム用メニューの作成方法。
【請求項２】
以下の要件を備えることを特徴とする、請求項１記載のオーダーシステム用メニューの作成方法。
（イ）前記透明シートには多数の不可視のコード情報を領域を区切って印刷すること
（ロ）前記可視情報シートは、上記透明シートのコード情報の領域に対応するように、メニューやオーダーに関する可視情報を印刷すること
【請求項３】
前記不可視のコード情報の印刷されている領域を、該領域を明示するレイアウトシートに印刷した領域に対応して形成し、該レイアウトシートに基づいて可視情報の配置を決定するとともに、可視情報とコード情報とを紐付けすることを特徴とする、請求項２記載のオーダーシステム用メニューの作成方法。
【発明の詳細な説明】
【技術分野】
【０００１】
本発明は、オーダーシステム用メニューの作成方法に関するものである。
【背景技術】
【０００２】
従来、レストランなどで顧客がメニューの中から食べたいものを選んで店員に注文していたが、経費削減のため従業員を減らすとオーダーが遅れてサービスの低下や売り上げの低下につながる恐れがあり顧客が自分で注文ができるようにするオーダーを自動化したシステムが提案されている（例えば、特許文献１）。
【０００３】
このシステムは、ドット印刷メニュー１０３に記載されている提供する飲食物についてのイメージにペンデバイス１０２の先端を接触させることにより前記表示された飲食物情報に対応する飲食物について注文情報が作成され、作成された該注文情報は、アクセスポイント１０５を介してサーバ１０４に送信されて注文がレストラン側で把握できるようにしたものである。
【特許文献１】特開２００６−２４４１８３号公報
【発明の開示】
【発明が解決しようとする課題】
【０００４】
本発明が解決しようとする問題点は、上述のシステムでは、メニューがドット印刷メニューで構成されているが、このメニューは「注文」や「イメージ」２０７、「詳細」２０８等が印刷されており、さらに肉眼では見えないコードが前記「注文」２０３や「イメージ」２０７等の部分にドット印刷されているもので、提供する飲食物の各飲食物などの可視情報にドットコードが重ねて印刷されているものであるが、可視情報を印刷した上から再度ドットコードを印刷しなければならず、通常のメニュー印刷に加えてドットコードを印刷しなければならず印刷工程がふえるため印刷コストがかかる問題があった。
【０００５】
本発明は、上記問題点を解決し、メニューシートにドットコードを重ねて印刷する工程を省くことができメニューの更新や変更などを容易にするとともに、ドットコードの印刷にかかるコストの低減化を図ることができるオーダーシステム用メニューの作成方法を提供することを課題とする。
【課題を解決するための手段】
【０００６】
前記課題を解決するために本発明に係るオーダーシステム用メニューの作成方法は、コード情報を有するメニューと該コード情報を読み取る読取装置、及び読取装置が読み取ったコード情報から対応するオーダーを呼び出すデータベースから構成されるオーダーシステムにおいて使用されるメニューの作成方法であって、上記メニューはコード情報を印刷した透明シートと、該コード情報に対応した可視情報を印刷した可視情報シートとを重ね合わせて構成することを特徴とする。
【０００７】
なお、前記オーダーシステム用メニューの作成方法は以下の要件を備えるようにしてもよい。
（イ）前記透明シートには多数の不可視のコード情報を領域を区切って印刷すること
（ロ）前記可視情報シートは、上記透明シートのコード情報の領域に対応するように、メニューやオーダーに関する可視情報を印刷すること
【０００８】
また、前記オーダーシステム用メニューの作成方法は、前記不可視のコード情報の印刷されている領域を、該領域を明示するレイアウトシートに印刷した領域に対応して形成し、該レイアウトシートに基づいて可視情報の配置を決定するとともに、可視情報とコード情報とを紐付けすることを特徴とする。
【発明の効果】
【０００９】
請求項１の発明によれば、可視情報が印刷された可視情報シートにはコード情報を重ねて印刷する必要がなく、メニューの更新や変更などを容易にするとともに、ドットコードの印刷にかかるコストの低減化を図ることができる。
【００１０】
請求項２の発明によれば、透明シートには領域を区切ってコード情報が印刷されているので、この領域に対応させて可視情報を可視情報シートに印刷すれば、可視情報とコード情報とを一致させることができる。
【００１１】
請求項３の発明によれば、透明シートに印刷されているコード情報の領域は目で見ることはできないが、レイアウトシートに印刷されている領域に対応しているので、このレイアウトシートを参照しながら可視情報シートに配置する可視情報の位置決めができ、より確実に可視情報とコード情報とを一致させることができる。
【発明を実施するための最良の形態】
【００１２】
図１は、本発明に係るオーダーシステム用メニューの作成方法で作成したメニューを利用したオーダーシステムの一例を示すもので、このシステムはレストランなどでお客が食事をする時に、レストランの従業員に口頭で注文を伝えることなく、お客が自分で随時注文できるように読取装置であるペン型リーダー１をメニュー２にタッチさせることによりハンディターミナル３が有線ＬＡＮ又は無線ＬＡＮで接続されたとサーバ４に注文の情報が送信され、キッチンに置かれたプリンタ５から注文書６がプリントアウトされ、その注文書６に基づいて確実にオーダーした飲食物がキッチンスタッフによって作られ、お客に短時間で確実に配膳されるようにしたものである。
【００１３】
上記メニュー２は、図２に示すように、お客が目で見ることができる料理の写真や絵などの可視情報ａが印刷された可視情報シート（以下、メニューシートという）１０の上に、裸眼では見えにくい細かいドットで構成されたコード情報が印刷された透明シート（以下、ドットコードシートという）１１が重ねて配置されているもので、メニューシート１０の上にドットコードシート１１を重ねた状態でメニューファイル１２にファイリングしたものである。
【００１４】
ドットコードシート１１は、図３（ａ）に示すように、透明なシートの全面にコード情報（以下、ドットコードという）ｂが印刷されているもので、このドットコードｂは視覚上の邪魔にならないように容易に視認できないような小さなドット（０．５ミリ角内に６Ｘ６個）で構成されるとともに、６Ｘ６の２次元マトリックスコードを１つのデータ単位としシート上に２次元的に連続して印刷されているもので、ヘッダ情報ｂ１とデータ情報ｂ２とから構成され、ヘッダ情報ｂ１はドットコードｂを他のドットコードｂと切り分ける情報を備え、データ情報ｂ２は可視情報ａを特定する情報が表示されているものである。なお、ドットコードシート１１の右下にはシートを識別する識別コード１３が印刷されている。
【００１５】
このドットコードシート１１はシート上を多数の領域に区切り、各領域内は同一のドットコードｂが印刷されているもので、この領域は視認できるようにレイアウトシート１４に罫線で区切られてマス目で示されている（図３（ｂ）参照）。
【００１６】
このレイアウトシート１４は、図４に示すように、全面が罫線１５で多数の領域１６に分割され、各領域１６には数字（数字に限定されず、アルファベットや記号と組み合わせて構成してもよい）で構成された領域情報１７が印刷表示されている。例えば、左上の領域は「６５」、左下に向かって順次数字が大きくなり「９６」、さらに右上の領域は「２５７」、右下に向かって順次数字が大きくなり「２８８」という具合に、全ての領域１６には数字が付与され、このレイアウトシート１４では領域が「６５」〜「２８８」の領域情報１７で埋められ、シートの右下にはシートを識別する識別コード１３（このシートの場合は「０１（６５−２８８）」）が印刷されている。この識別コード１３は、１枚目のシートで各領域には「６５」から「２８８」の領域情報１７が表示されていることを示し、２枚目のシートでは「０２（２８９−５１２）、８枚目のシートでは「０８（１６３３−１８５６）と言う具合に表示され、シート毎に領域情報１７が異なり、その領域情報１７は識別コード１３からも把握できるようになっている。
【００１７】
そして、上述したドットコードシート１１上のドットコードｂは、上記レイアウトシート１４の各領域１６に表示された領域情報１７に対応して設定されるとともに、各領域１６はそのドットコードｂで満たされている。
【００１８】
次に、上述したドットコードｂに対応してメニューシート１０に可視情報ａを印刷する方法について説明する。可視情報ａを印刷するに際しては、図５に示すように、レイアウトシート１４に規定されている１つ、又は複数の領域１６に対応させてメニューシート１０上に可視情報ａ（例えば、メニューがハンバーグでライス、パン、注文数、取消、注文など）を振り分け（位置決め）して印刷すればよい。なお、図５では、視覚情報ａと領域１６との関係を説明するために罫線１５を破線で表示しているが、実際には、この罫線１５はメニューシート１０上には印刷されてはいない。
【００１９】
さらにメニューシート１０にはレイアウトシート１４に表示されている識別コード１３と同じ識別コード１３を印刷すればよい。このことにより、メニューシート１０上の各可視情報ａに対応するドットコードｂが特定できるので、このドットコードｂと各可視情報ａとを紐付けしてサーバのメモリに記憶させればドットコードｂを読み取ることによりサーバはドットコードｂに対応する情報を取り出しハンディターミナルが要求する情報をハンディターミナルに送ることができるし、ハンディターミナルからの情報に基づいて注文処理を行なうことができる。
【００２０】
メニューファイル１２は２枚の透明なシート２０を重ねて周囲２１を縁取りして袋状に形成するとともに一端に挿入口２２を形成したものを１頁とし、挿入口２２同士が対向するように綴じたもので（図２参照）、図６（ａ）に示すように、この挿入口２２からメニューシート１０の上にドットコードシート１１を重ねた状態で収容し、図６（ｂ）に示すように、メニューファイル１２の各頁の上にペン型リーダー１を接触させればメニューファイル１２のシートを透してドットコードシート１１上に印刷されているドットコードｂを読み取ることができるようになっている。
【００２１】
上述のメニュー作成方法によれば、予めドットコードが印刷されている透明なドットコードシート１１に対応するレイアウトシート１４に基づいてメニューシート１０を作成すればメニューシート１０に印刷した可視情報ａとドットコードｂとを対応させることができ、メニューシート１０自体にはメニューの写真、入力項目などの視覚情報ａを印刷するだけで済み、従来のドットコードを利用したメニューのように可視情報の上にドットコードを重ねて印刷する必要がないので印刷の工程の簡略化と印刷コストの低減化を図ることができるメニューの作成方法を実現することができる。
【００２２】
しかも、識別コード１３が一致していればレイアウトシート１４上に表示されている領域情報１７とドットコードシート１１のドットコードｂとが対応し、ドットコードｂとメニューシート１０上の可視情報ａとが対応することになるので、領域情報に対応する可視情報のデータベース化が容易に行なうことができる。
【００２３】
上述したように、メニューシート１０にはメニューの写真、入力項目などの可視情報ａを印刷するだけで済み、従来のドットコードを利用したメニューのように可視情報の上にドットコードを重ねて印刷する必要がないので印刷の工程の削減を図ることができるとともに、メニューシートに印刷されている可視情報に後から手書きなどでキャッチフレーズや絵柄などを加筆したり、印刷したりしてもドットコードには何ら影響を与えないので、メニューの変更、更新なども容易に行なうことができるメニューの作成方法を実現することができる。
【００２４】
なお、上述の透明シートではコード情報を視認できないドットコードで構成した場合について説明したが、このコード情報はドットコードに限定されずバーコードなどの視認できるコードで構成しても構わない。この場合は読取装置はそのコードが読み取れるコードリーダーを使用すればよい。
【図面の簡単な説明】
【００２５】
【図１】本発明のオーダーシステム用メニューの作成方法で作成したメニューを使用したメニューを使用したオーダーシステムの一例を説明するシステム構成図
【図２】上記メニューの構成図
【図３】（ａ）〜（ｃ）はメニューを構成するドットコードシート、レイアウトシート及びメニューシートの説明図
【図４】レイアウトシートの説明図
【図５】メニューシートの説明図
【図６】（ａ）（ｂ）はメニューファイルにメニューシートとドットコードシートを挿入する状態と、挿入後の使用状態の説明図
【符号の説明】
【００２６】
１    読取装置（ペン型リーダー）
２    メニュー
３    ハンディターミナル
４    サーバ
５    プリンタ
６    注文書
１０    可視情報シート（メニューシート）
１１    透明シート（ドットコードシート）
１２    メニューファイル
１３    識別コード
１４    レイアウトシート
１６    領域
１７    領域情報
ａ    可視情報
ｂ    コード情報（ドットコード）
【図１】
2008279649.tif 000003
【図２】
2008279649.tif 000004
【図３】
2008279649.tif 000005
【図４】
2008279649.tif 000006
【図５】
2008279649.tif 000007
【図６】
2008279649.tif 000008